(57)【特許請求の範囲】
【請求項１】
室内外に開口した開口部と、開閉可能な障子と、着脱可能な網戸を有する網戸ユニットと、を備えた建具であって、
前記網戸ユニットは、前記開口部の内周より小さな前記網戸と前記開口部の内周との内、少なくとも一方に設けられた溝部と、少なくとも他方に設けられた突出部と、  前記溝部に前記突出部を挿入させて室内外方向一方側から前記網戸を取り付ける際に、前記突出部が前記溝部に挿入可能な位置を越えて前記網戸が室内外方向他方側へ移動しないように、矩形状をなす前記開口部の前記内周を形成し互いに対面する見込み面の内、一方の前記見込み面側から他方の前記見込み面側に向かって突出させて設けられ前記網戸の移動を規制する規制部材と、を有することを特徴とする建具。
【請求項２】
請求項１に記載の建具であって、
前記網戸は、開放不能に取り付けられており、
前記開口部に取り付けられた前記網戸の前記室内外方向一方側への移動を規制する脱落防止部材が、前記開口部側に設けられていることを特徴とする建具。
【請求項３】
請求項１または請求項２に記載の建具であって、
前記網戸は、網と、前記網を囲む框と、を有し、
前記規制部材は、前記框の室内外方向室外側に配置されていることを特徴とする建具。
【請求項４】
請求項１乃至請求項３のいずれかに記載の建具であって、
前記規制部材は、前記開口部に設けられ前記網戸に当接される網戸当接部材であることを特徴とする建具。
【請求項５】
請求項１乃至請求項３のいずれかに記載の建具であって、
前記規制部材は、前記網戸に設けられ前記開口部側に設けられた部材に当接される開口部当接部材であることを特徴とする建具。
【請求項６】
請求項２乃至請求項５のいずれかに記載の建具であって、
前記脱落防止部材は、前記網戸の室内外方向室内側においてスライド移動可能に設けられ、前記溝部に前記突出部が挿入された後に前記脱落防止部材をスライド移動させ、前記脱落防止部材の室外側面を前記網戸の室内側面と対向させて固定されることを特徴とする建具。
【発明の詳細な説明】
【技術分野】
【０００１】
本発明は、開口部に着脱可能な網戸を有する網戸ユニットを備えた建具に関する。
【背景技術】
【０００２】
従来、開口部に着脱可能な網戸を有する網戸ユニットを備えた建具の網戸を開口部に取り付ける際には、まず、網戸を斜めにして下方から開口部に設けられた上側レールに近づけ、網戸上端部の溝に上側レールを深く挿入し、網戸がほぼ垂直になるまで回転させる。このとき、網戸の下端は、下側レールより上方に位置している。その後、網戸を下方に降ろし網戸下端の溝に開口部に設けられた下側レールを挿入させる（例えば、特許文献１参照）。
【特許文献１】特開２００１―３１１３７１号公報
【発明の開示】
【発明が解決しようとする課題】
【０００３】
従来の建具では、網戸を取り付けるために最初に傾けておいた網戸を垂直にする時には網戸の下端が下側レールより上方に位置しているため、網戸下端の溝が下側レールを越えてしまう畏れがある。このような場合には、溝が下側レールを越えた位置に網戸が配置されてしまったり、作業者が勢い余って下側レールを越えて反対側に網戸を外してしまう畏れがあるという課題があった。
【０００４】
本発明は、かかる課題に鑑みてなされたものであり、その目的とするところは、網戸を正しい位置に容易に取り付けることが可能な網戸ユニット及び建具を提供することにある。
【課題を解決するための手段】
【０００５】
かかる目的を達成するために本発明の建具は、室内外に開口した開口部と、開閉可能な障子と、着脱可能な網戸を有する網戸ユニットと、を備えた建具であって、前記網戸ユニットは、前記開口部の内周より小さな前記網戸と前記開口部の内周との内、少なくとも一方に設けられた溝部と、少なくとも他方に設けられた突出部と、  前記溝部に前記突出部を挿入させて室内外方向一方側から前記網戸を取り付ける際に、前記突出部が前記溝部に挿入可能な位置を越えて前記網戸が室内外方向他方側へ移動しないように、矩形状をなす前記開口部の前記内周を形成し互いに対面する見込み面の内、一方の前記見込み面側から他方の前記見込み面側に向かって突出させて設けられ前記網戸の移動を規制する規制部材と、を有することを特徴とする建具。
このような建具によれば、網戸を取り付ける際に、網戸を移動させても規制部材により網戸の移動が規制され、突出部が溝部に挿入可能な位置を越えないので、突出部を溝部に確実に挿入させることが可能である。このため、網戸を正しい位置に容易に取り付けることが可能である。
かかる建具であって、前記網戸は、開放不能に取り付けられており、前記開口部に取り付けられた前記網戸の前記室内外方向一方側への移動を規制する脱落防止部材が、前記開口部側に設けられていることが望ましい。
このような建具によれば、溝部に突出部が挿入された後に、脱落防止部材によって、保持された網戸の取付側への移動が規制されるので、取付け後に網戸が開口部から不用意に脱落することを防止することが可能である。
【０００６】
かかる建具であって、前記網戸は、網と、前記網を囲む框と、を有し、前記規制部材は、前記框の室内外方向室外側に配置されていることが望ましい。  
このような建具によれば、規制部材は框の室内外方向（見込み方向、面外方向）室外側に配置されているので、開口部に対して網戸を室内側から着脱することが可能である。また、取付方向規制部材は室内側からは見え難いので室内側からの景観が損なわれることを防止することが可能である。
【０００７】
かかる建具であって、前記規制部材は、前記開口部に設けられ前記網戸に当接される網戸当接部材であることが望ましい。  
このような建具によれば、網戸の移動を規制する網戸当接部材が開口部に設けられているので、網戸側に設けられる場合より網戸が軽量である。このため網戸の取り回しが容易であり、より容易に取り付けることが可能である。
【０００８】
かかる建具であって、前記規制部材は、前記網戸に設けられ前記開口部側に設けられた部材に当接される開口部当接部材であることとしてもよい。  
このような建具によれば、網戸の移動を規制する開口部当接部材が網戸に設けられているので、開口部側への加工及び部材の取り付け等が少ないので、現場での施工が容易である。
【００１０】
かかる建具であって、前記脱落防止部材は、前記網戸の室内外方向室内側においてスライド移動可能に設けられ、前記溝部に前記突出部が挿入された後に前記脱落防止部材をスライド移動させ、前記脱落防止部材の室外側面を前記網戸の室内側面と対向させて固定されることが望ましい。  
このような建具によれば、脱落防止部材が網戸よりも室内外方向（見込み方向、面外方向）室内側に設けられているので、作業者は網戸の取り付けから続けて脱落防止部材を操作して網戸の室内外方向一方側への移動を規制することが可能である。また、作業者は、目視しつつ脱落防止部材をスライド移動させることが可能なので、脱落防止部材の室外側面を網戸の室内側面と対向するように脱落防止部材を確実に配置させることが可能である。
【発明の効果】
【００１２】
本発明によれば、網戸を正しい位置に容易に取り付けることが可能な建具を提供することが可能である。
【発明を実施するための最良の形態】
【００１３】
以下、本発明の一実施形態に係る網戸ユニット及び建具について、図面を参照して説明する。  
本実施形態では、図１から図３に示すように、建物の傾斜した屋根３に設けられて室内外に開口した開口部１０としての開口枠（枠体１２、木枠７）と、屋根の傾斜に沿って配置されるとともに開口枠に回動自在に支持され開閉自在に設けられた障子１４と、開口部１０に着脱可能な網戸２１を有する網戸ユニット２０と、を有する建具としての天窓ユニット１を例に挙げて説明する。尚、障子１４が開閉可能に設けられる開口枠を開口部１０としたがこれに限ることなく、躯体（屋根、壁等）を開口部１０としても良い。
【００１４】
開口部１０は、建物の屋根３に設けられた矩形状の開口５の縁に矩形状の木枠７が、屋根外面より室外側に突出するように取り付けられるとともに、木枠７の外周側に全周に亘って枠体１２が固定されて形成されており、木枠７の外側面の外周側のほぼ半分の領域は枠体１２に覆われ、内周側のほぼ半分の領域は室内側に凹設された段部７ａが設けられている。この段部７ａには、障子１４を閉めた際に障子１４の一部が入り込むように形成されており、障子１４と木枠７との間に発泡体から成る緩衝材８が設けられている。
【００１５】
枠体１２は、矩形状に形成されて木枠７の外周側を覆うように木枠７に固定されるアルミニウム製の部材である。枠体１２において屋根３の頂部側に、長手方向が左右方向に配置される上枠材１２ａには、長手方向を軸として障子１４が回動自在に係合されて丁番を構成する枠体側丁番部１２ｂが設けられている。また、枠体１２には、木枠７の段部７ａを囲むように室外側に向かって突出され、障子１４が閉められた際に障子１４の框１５が当接され、当該障子１４を支持するための障子支持部１２ｄが全周に亘って設けられている。障子支持部１２ｄの先端には、シール材１３が設けられている。
【００１６】
障子１４は、矩形状に形成され室外側に配置されるアルミニウム製の外側框１５ａと、矩形状に形成されて室内側に配置される木製の内側框１５ｂと、を有している。外側框１５ａと内側框１５ｂとの間には、シール材を介して複合ガラス１６が設けられ、外側框１５ａと内側框１５ｂとがねじにて固定されて一体化されている。
【００１７】
外側框１５ａには、屋根３の頂部側に、枠体１２の枠体側丁番部１２ｂと係合して丁番を構成する障子側丁番部１４ａが設けられている。障子１４は、枠体側丁番部１２ｂと障子側丁番部１４ａとで形成された丁番にて回動することにより開口部１０を開閉自在に構成されている。
【００１８】
内側框１５ｂは、障子１４を閉めた際に木枠７の段部７ａの内側に入り込むように形成されており、内側框１５ｂが段部７ａの緩衝材８を押圧するように構成されている。
【００１９】
網戸ユニット２０は、開口部１０の室内側に設けられている。本実施形態の天窓ユニット１を室内側から見た際には、図１に示すように、木枠７と網戸ユニット２０とは見えるが、枠体１２及び障子１４はほとんど見えず、網２２を通して複合ガラス１６が僅かに見えるだけである。
【００２０】
網戸ユニット２０は、室内外の境界に設けられる網２２及び網２２を囲む框２３を有する網戸２１と、屋根３の頂部側に位置する木枠（上木枠）７ｂに設けられて網戸２１の上端部２１ａを支持する上側支持部材３０と、屋根３の下端側に位置する木枠（下木枠）７ｃに設けられて網戸２１の下端部２１ｂを支持する突出部としての下側支持部材３６と、網戸２１より室外側に設けられる規制部材としての規制板４０とを有している。上木枠７ｂにおいて上側支持部材３０が設けられている面（以下、上木枠７ｂの見込み面という）と、下木枠７ｃにおいて下側支持部材３６が設けられている面（以下、下木枠７ｃの見込み面という）とは互いに対面している。
【００２１】
網戸２１は、屋根３の傾斜面に沿う方向(以下、傾斜方向という)において頂部側に位置する上框２４と、下側に位置する下框２５と、左右に位置する縦框２６とが矩形状に形成された框２３の内側の開口部に網２２が張設されている。框２３の外周は、左右方向の幅は左右の木枠７の間隔より僅かに狭く、傾斜方向の長さは上側支持部材３０の下縁３０ａと下側支持部材３６の上端部３６ａの間隔より長く形成されている。
【００２２】
上框２４、下框２５、左右の縦框２６は、いずれも同一断面形状をなすアルミニウム製の押出成形部材であり、適宜長さにて長手方向の両端部が４５°に切断され、互いに突き合わされて接合され矩形状をなしている。上框２４、下框２５、左右の縦框２６は、長手方向に貫通する中空部２４ａ、２５ａ、２６ａを有し、矩形状に接合された際に中空部２４ａ、２５ａ、２６ａの外周側に位置する部位に、溝部２４ｂ、２５ｂ、２６ｂを有している。すなわち、溝部２５ｂが設けられている網戸２１が、網戸と開口部側の部材の内の一方に相当し、下側支持部材３６が突出部を有する開口部側の部材に相当する。
【００２３】
また、矩形状に接合された際に中空部２４ａ、２５ａ、２６ａの内周側に位置する部位には、室外側に開放されて室内方向に凹設された凹部２４ｃ、２５ｃ、２６ｃが、全周に亘って繋がって設けられている。この凹部２４ｃ、２５ｃ、２６ｃには、張設される網２２の縁部が収容され、その室外側から網２２を押さえるゴムロープ２８が収容される。また、屋根３の頂部側に位置する上框２４の上端部には、網戸２１の傾斜方向に弾性変形可能な付勢部材としての板ばね２７が設けられている。
【００２４】
上側支持部材３０は、左右の木枠７の間にほぼ全域に亘って設けられ、下方に開放された溝状をなす部材である。上側支持部材３０は、上木枠７ｂに当接される上面部３１と、上面部３１の見込み方向における両端部に上木枠７ｂの見込み面とほぼ垂直に形成された２枚の支持壁３２とを有し、上面部３１が上木枠７ｂの見込み面にねじで固定されている。２枚の支持壁３２の間隔は、網戸２１の上框２４の見込み方向の厚みより僅かに広く形成されている。
【００２５】
下側支持部材３６は、左右の木枠７の間にほぼ全域に亘って、屋根３及び障子１４の傾斜とほぼ平行な面を有して設けられるアルミニウム製の部材である。下側支持部材３６は、網戸２１の下框２５が有する溝部２５ｂに上端部３６ａが挿入される支持壁部３６ｂと、支持壁部３６ｂの端部からほぼ直角に延設されて下木枠７ｃの見込み面に当接される固定部３６ｃとを有している。
【００２６】
また、下側支持部材３６には図４に示すように、室内側に、見付け方向の両端側であって中央から振り分けた位置に２箇所、脱落防止部材としての受け部材３７と、下側支持部材３６を挟んで受け部材３７と重なる位置に受け部材３７の固定部材３８とが設けられている。そして、下側支持部材３６、受け部材３７、固定部材３８には、室内側から室外側に向かって２本のねじ５０、５１が貫通される。このため、下側支持部材３６には、受け部材３７、固定部材３８と重なる位置に傾斜方向に間隔を隔てて２つの貫通孔が形成されている。
【００２７】
受け部材３７は板状の部材であり、支持壁部３６ｂに当接される当接基部３７ａと、当接基部３７ａの上方側縁部から室内側に延設された垂設部３７ｂと、垂設部３７ｂの室内側縁部から当接基部３７ａとほぼ平行に上方に形成された受け板部３７ｃとを有している。当接基部３７ａには、傾斜方向に沿って長孔３７ｄが設けられている。固定部材３８は、当接基部３７ａとほぼ同じ大きさを有するステンレス製の板状部材である。固定部材３８には、内周に雌ねじが形成された２つの穴部が設けられている。このため、固定部材３８は、螺合されるねじ５０、５１が締め込まれるだけの有効ねじ部が形成されるだけの厚みを有している。２つの穴部は、固定部材３８が取り付けられた際に傾斜方向に間隔を隔てて配置されるように形成されている。
【００２８】
そして、下側支持部材３６の室内側に受け部材３７が、室外側に固定部材３８がそれぞれ重なるように配置されて、室内側から長孔３７ｄ及び貫通孔を２本のねじ５０、５１が挿通されて固定部材３８に螺合されている。傾斜方向において頂部側に配置されるねじ５１は、軸部に雄ねじが形成されていない部位を有する所謂段付きねじ５１であり、締め込んだ状態であっても受け部材３７は下側支持部材３６に沿ってスライド移動可能である。一方、傾斜方向において下端側に配置されるねじ５０は、ねじ頭部が拡径されるとともにローレット等が設けられた回転操作部５０ａを有する操作ねじ５０であり、締め込むことにより下側支持部材３６と受け部材３７とは回転操作部５０ａと固定部材３８とで挟持され、受け部材３７がスライド移動しないように固定される。
【００２９】
網戸２１が取り付けられる前には、段付きねじ５１は固定部材３８に締め込まれているが、操作ねじ５０は緩められて、受け部材３７は網戸２１より開口部１０側としての下木枠７ｃ側寄りに配置されている。このため、受け部材３７は、段付きねじ５１及び操作ねじ５０に案内されて、長孔３７ｄの範囲で網戸２１側にスライド移動可能である。そして、網戸２１が取り付けられた後に、受け部材３７を網戸２１側にスライド移動させ、網戸２１と支持壁部３６ｂとに跨るよう（受け部材３７の室外側面を下框２５の室内側面と対向するよう）にスライド移動され操作ねじ５０を回転させて受け部材３７が固定されるように構成されている。
【００３０】
規制板４０は、網戸２１の室外側であって左右の木枠７の見込み面側にそれぞれ固定されている。規制板４０は、木枠７の見込み面に当接される取付板部４０ａと、取付板部４０ａの室内側縁部から木枠７の見込み面とほぼ直角をなすように設けられ、網戸２１の左右の縦框２６が当接されて網戸２１の移動を規制する規制板部４０ｂとを有している。規制板４０は、網戸２１が取り付けられた際に、上側支持部材３０の下から下木枠７ｃの近傍までほぼ全域に亘って設けられている。このため、網戸２１の左右の縦框２６は、上側支持部材３０に入り込んでいない部位が、規制板部４０ｂと対面している。また、規制板部４０ｂは、見付け方向の幅が、網戸２１の左右の縦框２６における見付け方向の幅より十分に狭く形成されており、室内側から開口部１０を見ると、規制板４０は網戸２１の左右の縦框２６の裏側に位置して室内側方は視認できないように構成されている。
【００３１】
そして、本実施形態の天窓ユニットにおいて、網戸２１を開口部１０に取り付ける際には、まず、操作ねじを緩めて受け部材３７を開口部１０側（下木枠７ｃ側）寄り、すなわち、受け部材３７の網戸２１側の縁が下側支持部材３６の網戸２１側の縁より網戸２１側に突出しない位置に予め移動させておく。
【００３２】
次に、図５に示すようにして網戸２１をケンドン方式で取り付ける。具体的には、図５（ａ）に示すように、まず、室内側から網戸２１を傾けつつ、その上端部を上側支持部材３０の支持壁３２間に挿入する。そして、図５（ｂ）に示すように、挿入した網戸２１の上端に設けられた板ばね２７を上面部３１に押圧させて、さらに網戸２１を頂部側に押し上げつつ網戸２１の下端側を室外側に向かって移動させる。このとき網戸２１は、上端側を中心として下端側が室内側から室外側に向かって回動される。本実施形態の場合には、室内側から室外側に向かう方向が、網戸２１が取り付けられる取付移動方向となる。
【００３３】
回動された網戸２１は、屋根面及び障子１４とほぼ平行になる位置から更に室外側へ回動しようとすると、左右の縦框２６が規制板４０に当接される。この状態で、網戸２１の下縁２１ｃは下側支持部材３６の上端部３６ａより頂部側に位置しており、網戸２１の下框２５に設けられた溝部２５ｂと下側支持部材３６の上端部３６ａとが対向している。すなわち、下側支持部材３６が溝部２５ｂに挿入可能な位置に配置される。本実施形態では、規制板４０が網戸当接部材に相当する。
【００３４】
網戸２１を頂部側に押し上げていた力を緩めることにより、押圧されていた板ばね２７の付勢力が作用して網戸２１が屋根３の下端側に押し下げられ、図５（ｃ）に示すように、網戸２１の下框２５に設けられた溝部２５ｂに下側支持部材３６が挿入されて、開口部１０に網戸２１が保持される。このとき、網戸２１の上端部２１ａが上側支持部材３０の支持壁３２間に位置しており、上端側の板ばね２７の付勢力は、網戸２１を下側支持部材３６に押圧する方向に作用している。このように取り付けられた網戸２１の位置が、網戸２１が取り付けられるべき取り付け位置に相当する。
【００３５】
最後に図５(ｄ)に示すように網戸２１が開口部１０に保持された後、受け部材３７を頂部側にスライド移動させて、網戸２１と開口部１０側とに跨る位置（受け部材３７の室外側面が下框２５の室内側面と対向する位置）に配置させ、操作ねじ５０を締め込んで受け部材３７を固定する。
【００３６】
本実施形態の天窓ユニット１及び網戸ユニット２０によれば、網戸２１を取り付ける際に、網戸２１を室外方向に移動させても、規制板４０により網戸２１の移動が規制されて下側支持部材３６が下框２５の溝部２５ｂに挿入可能な位置を越えないので、作業者は、下側支持部材３６を溝部２５ｂに確実に挿入させることが可能である。このため、網戸２１を正しい位置に容易に取り付けることが可能である。
【００３７】
また、規制板４０は左右の縦框２６の室外側に配置されているので、網戸２１を室内側から着脱することが可能である。また、網２２が張設されている部位は規制板４０により塞がれないため網２２を備えた開口を大きく確保することが可能である。また、規制板４０は室内側からは見え難いので室内側からの景観が損なわれることを防止することが可能である。特に、規制板４０は、アルミニウム製の縦框２６が当接されるので傷つきやすいが、たとえ傷ついたとしても、縦框２６の室外側に配置されているので室内側には露出しないので、美観を損なう畏れはない。
【００３８】
また、規制板４０は開口部１０側に設けられているので、網戸２１に設けられている場合と比較して網戸２１が軽量である。このため網戸２１の取り回しが容易であり、より容易に取り付けることが可能である。
【００３９】
また、網戸２１の下框２５の溝部２５ｂに下側支持部材３６が挿入された後に、取り付け時の移動方向とは反対方向への移動（室内側方向への移動）を規制する受け部材３７が網戸２１と開口部１０側に設けられた下側支持部材３６とに跨るように移動されて、保持された網戸２１の室内側への移動が規制されるので、網戸２１が開口部１０から外れることを防止することが可能である。
【００４０】
また、受け部材３７は、作業者が取り付け作業を行う室内側に設けられているので、作業者は網戸２１の取り付けから続けて受け部材３７を操作して網戸２１の室内側への移動を規制することが可能である。このとき作業者は、目視しつつ網戸２１と開口部１０側となる下側支持部材３６とに跨るように（受け部材３７の室外側面が下框２５の室内側面と対向するように）受け部材３７を移動させることが可能なので、網戸２１と下側支持部材３６とに確実に跨るように受け部材３７を配置させることが可能である。
【００４３】
また、上記実施形態のおいては、脱落防止部材として網戸２１の室内側にて傾斜方向にスライド移動可能な受け部材３７を設けた例を示したが、これに限るものではない。例えば、図６に示すように網戸２１の下框２５を貫通する軸体が回動可能に設けられており、軸体の室内側に図６（ａ）に示すような操作把持部４６が設けられ、室外側に板状の規制プレート４７が固定されている形態であっても構わない。この脱落防止部材は、網戸２１が取り付けられる前に予め図６（ｂ）の左図のようにねじ等をストッパ４８として規制プレート４７を網戸２１の下端より上方に位置させておく。そして、網戸２１を取り付けて下框２５の溝部２５ｂに下側支持部材３６が挿入された後に操作把持部４６を回動させて、図６（ｂ）の右図のように規制プレート４７を網戸２１と下側支持部材３６とに跨るように配置させることにより網戸２１の室内側への移動を規制しても良い。
【００４４】
また、脱落防止部材として図７に示すように網戸２１の縦框２６を貫通する軸体が傾斜方向に沿ってスライド可能に設けられており、軸体の室内側に図７（ａ）に示すような操作把持部４６が設けられ、室外側に角形パイプ状の規制角材４９が固定されている形態であっても構わない。この脱落防止部材は、網戸２１が取り付けられる前に予め図７（ｂ）の左図のように規制角材４９を網戸２１の下端より上方に位置させておく。そして、網戸２１を取り付けて下框２５の溝部２５ｂに下側支持部材３６が挿入された後に操作把持部４６をスライドさせて、図７（ｂ）の右図のように規制角材４９を網戸２１と下側支持部材３６とに跨るように配置させることにより網戸２１の室内側への移動を規制しても良い。  
上記実施形態においては、網戸２１を室内側から取り付ける例について説明したが、室外側から取り付ける形態であっても構わない。この場合には、規制板４０は網戸２１の室内側に設けられる。また、天窓に設けられる網戸ユニットを例に挙げて説明したが、建具は天窓に限るものではない。例えば、垂直な壁に設けられた各種窓（開き窓、辷りだし窓、ルーバー窓、引戸系窓など）であっても構わない。
【００４５】
上記実施形態においては、網戸２１の下端に溝部２５ｂを設け、開口部側に突出部として下側支持部材を設けた例について説明したが、網戸２１側に突出部を設け、開口部側に溝部を設けても構わない。
【００４６】
また、上記実施形態においては、開口部１０設ける開口枠として、金属製の枠体１２に木枠７を備えた例について説明したが、必ずしも木枠７が備えられていなくともよく、枠体１２も樹脂等、材質は問わない。さらに、上記実施形態では、木枠７を建具の開口枠として説明し、躯体（屋根、壁など）と木枠７とを分けて説明したが、木枠７を躯体の一部としても良い。また、本実施形態では、開口枠の枠体１２に取付けられる枠体を構成するものとして木枠７としたが、必ずしも木製でなく、アルミニウムや樹脂等であっても構わない。
【００４７】
また、網戸ユニットを開口枠の木枠７に設けたがこれに限らず、開口枠の枠体１２側に設けてもよく、躯体（屋根、壁、額縁など）に設けても良い。
【００４８】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４９】
【図１】本実施形態に係る建具を室内側からみた図である。
【図２】図１のＡ−Ａ断面図である。
【図３】図１のＢ−Ｂ断面図である。
【図４】図４（ａ）は網戸下端の取り付け部を室内側から見た図である。図４（ｂ）は、図４（ａ）のＣ−Ｃ断面の拡大図である。
【図５】網戸の取り付け方法を説明するための図である。
【図６】脱落防止部材の第１変形例を説明するための図である。
【図７】脱落防止部材の第２変形例を説明するための図である。
【符号の説明】
【００５０】
１  天窓ユニット、１０  開口部、１２  枠体、１４  障子、２０  網戸ユニット、
２１  網戸、２２  網、２３  框、２５  下框、２５ｂ  溝部、３６  下側支持部材、
３７  受け部材、４０  規制板、４７  規制プレート、
４９  規制角材
【図１】
0004833158.tif 000002
【図２】
0004833158.tif 000003
【図３】
0004833158.tif 000004
【図４】
0004833158.tif 000005
【図５】
0004833158.tif 000006
【図６】
0004833158.tif 000007
【図７】
0004833158.tif 000008